(57)【要約】【課題】ユーザの操作に応じて、「戻る」操作を学習し、情報端末の操作性を向上させる情報入力装置および情報入力方法を提供する。【解決手段】画面番号０００４において、送信結果レポートの印刷後、初期設定に従い、画面は、画面番号０００３に戻っている。この状態で「戻る」キーを押すと（ステップＳ８０１のＹＥＳ）、遷移元画面が画面番号０００２であるかどうかを確認する（ステップＳ８０２）。この場合遷移元画面は、画面番号０００３であり（ステップＳ８０２のＮＯ）、画面番号０００４のキーコード画面遷移テーブルの遷移先画面番号を画面番号０００２に書き換える（ステップＳ８０３）。これにより、次回、画面番号０００４で、送信結果レポートの印刷終了後、画面は、画面番号０００２に遷移することになる（ステップＳ８０４）。【選択図】        図８
2004318715.tif 000002
【特許請求の範囲】
【請求項１】
ボタンや表示装置を有する操作パネルを具備し、機能カテゴリである操作メニューを用いて、ユーザが望む操作を階層的に絞り込むユーザインターフェースを提供する情報入力装置あって、
ある機能の実行を終えた後に、戻った表示画面において、「戻る」などの否定操作がされた場合に、前記実行された画面を記憶し、再び、同じ機能の実行を終えた際には、もう１階層前である２階層前の表示画面に戻ることを特徴とする情報入力装置。
【請求項２】
前記ある機能の実行を終えた後に、前記戻った表示画面において、前記否定操作がされた場合に、前記実行された画面と否定操作の回数を組で記憶し、前記否定操作の回数が規定値を超えた際には、前記２階層前の表示画面に戻ることを記憶し、再び、同じ機能の実行を終えた際には、前記２階層前の表示画面に戻ることを特徴とする請求項１記載の情報入力装置。
【請求項３】
前記ある機能の実行を終えた後に、前記戻った表示画面において、前記否定操作がされた場合に、「２階層前の表示画面に戻る」旨のガイダンスを行い、ユーザの承諾に応じて前記「２階層前の表示画面に戻る」を記憶し、再び、同じ機能の実行を終えた際には、前記２階層前の表示画面に戻ることを特徴とする請求項１または２記載の情報入力装置。
【請求項４】
ボタンや表示装置を有する操作パネルを具備し、機能カテゴリである操作メニューを用いて、ユーザが望む操作を階層的に絞り込むユーザインターフェースを提供する情報入力装置における情報入力方法であって、
ある機能の実行を終えた後に、戻った表示画面において、「戻る」などの否定操作がされた場合に、
前記戻った表示画面が、２階層前の表示画面であるかどうかを確認する表示画面確認工程と、
前記表示画面確認工程において、前記戻った表示画面が、１階層前の表示画面であった場合、前記ある機能の実行を終えた表示画面のキーコード画面遷移テーブルを２階層前の表示画面に遷移するように書き換えるキーコード画面遷移テーブル書き換え工程と、
次回、再度、同じ機能の実行を終えた際には、前記キーコード画面遷移テーブル書き換え工程で書き換えられた前記キーコード画面遷移テーブルに基き、前記２階層前の表示画面に戻る２階層前表示画面戻る工程とを有することを特徴とする情報入力方法。
【請求項５】
前記表示画面確認工程において、前記戻った表示画面が、１階層前の表示画面であった場合、
前記否定操作の回数をカウントする否定操作回数カウント工程と、
前記否定操作の回数が、予め定められた規定の回数を超えているかどうかを確認する否定操作回数確認工程とをさらに有し、
前記否定操作の回数が、規定の回数を超えていた場合のみ、前記キーコード画面遷移テーブル書き換え工程が、前記キーコード画面遷移テーブルを２階層前の表示画面に遷移するように書き換え、
次回、再度、同じ機能の実行を終えた際には、前記キーコード画面遷移テーブル書き換え工程で書き換えられた前記キーコード画面遷移テーブルに基き、前記２階層前の表示画面に戻る２階層前表示画面戻る工程をさらに有することを特徴とする請求項４記載の情報入力方法。
【請求項６】
前記表示画面確認工程において、前記戻った表示画面が、１階層前の表示画面であった場合、
前記ある機能の実行を終えた表示画面のキーコード画面遷移テーブルを２階層前の表示画面に遷移するように書き換えるかどうかをユーザにガイダンスし確認するユーザガイダンス工程と、
ユーザの書き換え承認を得るユーザ承認工程とをさらに有し、
前記ユーザ承認工程において、ユーザの承認を得た場合のみ、前記キーコード画面遷移テーブル書き換え工程が、前記キーコード画面遷移テーブルを２階層前の表示画面に遷移するように書き換え、
次回、再度、同じ機能の実行を終えた際には、前記キーコード画面遷移テーブル書き換え工程で書き換えられた前記キーコード画面遷移テーブルに基き、前記２階層前の表示画面に戻る２階層前の表示画面に戻る工程をさらに有することを特徴とする請求項４または５記載の情報入力方法。
【発明の詳細な説明】
【０００１】
【発明の属する技術分野】
本発明は、ファクシミリ装置などの、情報入力装置および情報入力方法に関する。
【０００２】
【従来の技術】
近年、情報端末機器には多数の機能が搭載される一方で、低価格化のために表示部にはコストをかけられない状況にある。そのため、機能を幾つかのカテゴリに分類し、ユーザが望む機能を階層的に順次絞り込むユーザインターフェースを採用せざるを得ない。
【０００３】
ところが、ユーザがある機能を実行した後、続けて同一カテゴリに存在する同類の機能を実行したい場合と、したくない場合とが存在し、ある機能の実行後に戻る画面表示である階層メニューがユーザの望むものと食い違うことがあった。
そのため、ユーザにとっての操作性が低下するという問題があった。
【０００４】
以下、操作性を向上させる従来の技術について説明する。
【０００５】
【特許文献１】
特開平９−２６５３７４号公報
【０００６】
特許文献１に記載の発明であるメニュー選択処理方法においては、表示された複数の上位メニュー項目の一つをポインティング装置により選択されたとき、選択されたメニュー項目に属する下位メニューを構成するプルダウン項目の選択状態表示を順次所定の移動速度で移動する共に、ポインティング装置により指示を与えたタイミングにて選択状態表示中のプルダウン項目を選択するように制御している。これにより、操作性の向上がはかれるとしている。
【０００７】
しかしながら、従来の技術においては、ユーザの操作に応じて、その操作を学習し操作性を向上させるものではない。
【０００８】
【発明が解決しようとする課題】
本発明は、上記問題点に鑑みてなされたものであり、ユーザの操作に応じて、「戻る」操作を学習し、情報端末の操作性を向上させる情報入力装置および情報入力方法を提供することを目的とする。
【０００９】
【課題を解決するための手段】
上記目的を達成するために、請求項１記載の発明は、ボタンや表示装置を有する操作パネルを具備し、機能カテゴリである操作メニューを用いて、ユーザが望む操作を階層的に絞り込むユーザインターフェースを提供する情報入力装置あって、ある機能の実行を終えた後に、戻った表示画面において、「戻る」などの否定操作がされた場合に、前記実行された画面を記憶し、再び、同じ機能の実行を終えた際には、もう１階層前である２階層前の表示画面に戻ることを特徴としている。
【００１０】
請求項２記載の発明は、請求項１記載の発明において、前記ある機能の実行を終えた後に、前記戻った表示画面において、前記否定操作がされた場合に、前記実行された画面と否定操作の回数を組で記憶し、前記否定操作の回数が規定値を超えた際には、前記２階層前の表示画面に戻ることを記憶し、再び、同じ機能の実行を終えた際には、前記２階層前の表示画面に戻ることを特徴としている。
【００１１】
請求項３記載の発明は、請求項１または２記載の発明において、前記ある機能の実行を終えた後に、前記戻った表示画面において、前記否定操作がされた場合に、「２階層前の表示画面に戻る」旨のガイダンスを行い、ユーザの承諾に応じて前記「２階層前の表示画面に戻る」を記憶し、再び、同じ機能の実行を終えた際には、前記２階層前の表示画面に戻ることを特徴としている。
【００１２】
請求項４記載の発明は、ボタンや表示装置を有する操作パネルを具備し、機能カテゴリである操作メニューを用いて、ユーザが望む操作を階層的に絞り込むユーザインターフェースを提供する情報入力装置における情報入力方法であって、ある機能の実行を終えた後に、戻った表示画面において、「戻る」などの否定操作がされた場合に、前記戻った表示画面が、２階層前の表示画面であるかどうかを確認する表示画面確認工程と、前記表示画面確認工程において、前記戻った表示画面が、１階層前の表示画面であった場合、前記ある機能の実行を終えた表示画面のキーコード画面遷移テーブルを２階層前の表示画面に遷移するように書き換えるキーコード画面遷移テーブル書き換え工程と、次回、再度、同じ機能の実行を終えた際には、前記キーコード画面遷移テーブル書き換え工程で書き換えられた前記キーコード画面遷移テーブルに基き、前記２階層前の表示画面に戻る２階層前表示画面戻る工程とを有することを特徴としている。
【００１３】
請求項５記載の発明は、請求項４記載の発明において、前記表示画面確認工程において、前記戻った表示画面が、１階層前の表示画面であった場合、前記否定操作の回数をカウントする否定操作回数カウント工程と、前記否定操作の回数が、予め定められた規定の回数を超えているかどうかを確認する否定操作回数確認工程とをさらに有し、前記否定操作の回数が、規定の回数を超えていた場合のみ、前記キーコード画面遷移テーブル書き換え工程が、前記キーコード画面遷移テーブルを２階層前の表示画面に遷移するように書き換え、次回、再度、同じ機能の実行を終えた際には、前記キーコード画面遷移テーブル書き換え工程で書き換えられた前記キーコード画面遷移テーブルに基き、前記２階層前の表示画面に戻る２階層前表示画面戻る工程をさらに有することを特徴としている。
【００１４】
請求項６記載の発明は、請求項４または５記載の発明において、前記表示画面確認工程において、前記戻った表示画面が、１階層前の表示画面であった場合、前記ある機能の実行を終えた表示画面のキーコード画面遷移テーブルを２階層前の表示画面に遷移するように書き換えるかどうかをユーザにガイダンスし確認するユーザガイダンス工程と、ユーザの書き換え承認を得るユーザ承認工程とをさらに有し、前記ユーザ承認工程において、ユーザの承認を得た場合のみ、前記キーコード画面遷移テーブル書き換え工程が、前記キーコード画面遷移テーブルを２階層前の表示画面に遷移するように書き換え、次回、再度、同じ機能の実行を終えた際には、前記キーコード画面遷移テーブル書き換え工程で書き換えられた前記キーコード画面遷移テーブルに基き、前記２階層前の表示画面に戻る２階層前の表示画面に戻る工程をさらに有することを特徴としている。
【００１５】
【発明の実施の形態】
以下、添付図面を参照し、本発明の実施形態を詳細に説明する。
【００１６】
まず、機能カテゴリである操作メニューを用いて、ユーザが望む操作を階層的に絞り込むユーザインターフェースの例を説明する。図１は、本発明の情報入力装置の実施形態における画面のフローを示す表示図である。図１において、図１の（ａ）から（ｄ）までの画面のフローと、図１の（ｄ）の画面の後（ｃ）に戻るフローを示している。また、図１においては、４行のＬＣＤで表示しているが、４行に限るものではない。
【００１７】
図１において、太字は、選択された操作を示している。この太字は、画面上、例えば、赤色で表示するなど、選択された操作を色で表示するなど、太字に限るものではない。
【００１８】
図１の画面フローの例では、図１の（ａ）でファクス初期設定が選択され、図１の（ｂ）でレポート／リスト印刷が選択され、図１の（ｃ）で送信結果レポートが選択され、図１の（ｄ）で送信結果レポートが印刷中であることを示している。印刷終了後、画面は、図１の（ｃ）に戻っている。
【００１９】
図２は、図１の（ａ）から（ｄ）までの画面と各画面に付与されている画面番号を示す画面番号付与図である。すなわち、すべての画面を一意に特定できるように、各画面には、ユニークな番号である画面番号を付与する。
【００２０】
すなわち、図１の（ａ）には画面番号０００１が、図１の（ｂ）には画面番号０００２が、図１の（ｃ）には画面番号０００３が、図１の（ｄ）には画面番号０００４が、付与されている。
【００２１】
図３は、画面に表示される各キーと各キーに付与されているキーコードを示すキーコード付与図である。すなわち、各キーにも、ユニークなコードであるキーコードが付与され、押下されたキーを一意に特定できる。
【００２２】
図３において、キーの種別の例示として、ＯＫ、戻る、スタート、次選択、および印刷終了が示されている。さらに、それぞれのキーに対応してユニークなキーコードが、付与されている。ここで、図３のキーコードの番号と、図２の画面番号とで同一の番号があるが、この番号は同一であっても、キーコードまたは画面番号で区別できるので同一であってもよい。また、それぞれ同一ではない別の番号を付与してもよい。
【００２３】
図４は、遷移元の画面を示す遷移元画面図である。すなわち、遷移元の画面は無条件に保持するものとし、画面の遷移が起こる度に上書きする。図４においては、図１の画面フローで、送信結果レポートの印刷である画面番号０００４の後、画面は、画面番号０００３に戻っているが、その遷移元画面である画面番号０００４が保持されている。この画面番号は、先に述べたように、図２に示されている。
【００２４】
図５は、画面番号毎のキーコード画面遷移テーブルを示す画面番号毎画面遷移テーブル図である。すなわち、各画面番号毎に画面遷移テーブルを保持している。どの画面で、どのキーが押されたら、すなわち何のイベントが発生したら、どの画面に遷移するかは、各画面番号毎の画面遷移テーブルが保持している。
【００２５】
図６を参照し、このキーコード画面遷移テーブルについて、画面番号０００４を例として、詳細に説明する。図６は、画面番号０００４の初期設定でのキーコード画面遷移テーブル図である。このキーコード画面遷移テーブルにおいては、どの画面で、どのキーが押されたら、すなわち何のイベントが発生したら、どの画面に遷移するかを示している。図６の画面番号０００４での例示では、キーコード１００１（印刷終了）が押されたら、初期設定として、遷移先画面が、画面０００３になることを示している。すなわち、初期設定として、印刷終了後に、画面番号０００４が画面番号０００３に遷移することを示している。
【００２６】
図７は、画面番号０００４の書き換え後のキーコード画面遷移テーブル図である。図７においては、書き換え後に、印刷終了後、画面番号０００４が画面番号０００３になった後、画面番号０００２に遷移することを示している。この書き換え処理については、次に説明する動作で詳細に説明する。
【００２７】
次に、本発明の情報入力装置の動作について説明する。すなわち、情報入力方法について説明する。
【００２８】
まず、本発明の情報入力装置の第一実施形態の動作を説明する。図８は、本発明の情報入力装置の第一実施形態の動作を示すフローチャートである。図８において、画面が、図２で示した画面番号０００３に戻った状態からの画面遷移処理、および図６に示す画面番号０００４の初期画面でのキーコード画面遷移テーブル図の書き換え処理を示す。すなわち、図２で示した、画面番号０００４の状態で、送信結果レポートの印刷終了後に、画面が画面番号０００３に戻っている状態をスタートとし例示して説明する。
【００２９】
図８において、図１および図２の画面番号０００４での送信結果レポート出力後、すなわち、印刷終了後に、画面は、画面番号０００３に遷移し、そこで「戻る」キーを押した場合に、画面番号０００４のキーコード画面遷移テーブルが、図７に示すように、画面番号０００２に遷移する。すなわち、次回、画面番号０００４で、送信結果レポートの印刷終了後、画面は、画面番号０００２に遷移することになる。
【００３０】
図８を参照し、本発明の情報入力装置の第一実施形態の動作を詳細に説明する。まず、画面は、画面番号０００４において、送信結果レポートの印刷後、図６の初期設定に従い、画面番号０００３に戻っている。この状態で「戻る」キーを押すと（ステップＳ８０１のＹＥＳ）、遷移元画面が画面番号０００２であるかどうかを確認する（ステップＳ８０２）。この場合遷移元画面は、画面番号０００３であり（ステップＳ８０２のＮＯ）、画面番号０００４のキーコード画面遷移テーブルを図７に示すように、遷移先画面番号を画面番号０００２に書き換える（ステップＳ８０３）。これにより、次回、画面番号０００４で、送信結果レポートの印刷終了後、画面は、画面番号０００２に遷移することになる（ステップＳ８０４）。
【００３１】
ここで、ステップＳ８０２での確認で、遷移元画面が、画面番号０００２の場合（ステップＳ８０２のＹＥＳ）、図６の画面番号０００４のキーコード画面遷移テーブルに示すように、遷移先場面は画面番号０００３のままであり、ステップＳ８０４において、画面番号０００３に遷移する。遷移元画面が、画面番号０００２になる場合とは、誤操作などによるものであり、通常はない。
【００３２】
次に、本発明の情報入力装置の第二実施形態の動作を説明する。図９は、本発明の情報入力装置の第二実施形態の動作を示すフローチャートである。図９において、画面が、図２で示した画面番号０００３に戻った状態からの画面遷移処理、および図６に示す画面番号０００４のキーコード画面遷移テーブルの書き換え処理を示す。すなわち、図２で示した、画面番号０００４の状態で、送信結果レポートの印刷終了後に、画面が画面番号０００３に戻っている状態をスタートとし例示して説明する。
【００３３】
本発明の情報入力装置の第一実施形態では、図２の画面番号０００４での送信結果レポート出力後、すなわち、印刷終了後に、画面番号０００３に遷移し、そこで「戻る」キーを押した場合に、画面番号０００４のキーコード画面遷移テーブルが、図７に示すように、画面番号０００２に遷移した。しかしながら、第二実施形態では、「戻る」キーを押した場合に、「戻る」キーを押した回数をカウントし、「戻る」キー押下カウンタが規定値を超えたかどうかをチェックする。
「戻る」キー押下カウンタが規定値を超えた場合に、画面番号０００４のキーコード画面遷移テーブルを図７のように書き換える。これにより、「戻る」キー押下カウンタが規定値を超えた場合にのみ、次回、画面番号０００４で送信結果レポートの印刷終了後、画面は画面番号０００２に遷移することになる。
【００３４】
図９を参照し、本発明の情報入力装置の第二実施形態の動作を詳細に説明する。まず、画面は、画面番号０００４において、送信結果レポートの印刷後、図６の初期設定に従い、画面番号０００３に戻っている。この状態で「戻る」キーを押すと（ステップＳ９０１のＹＥＳ）、遷移元画面が画面番号０００２であるかどうかを確認する（ステップＳ９０２）。この場合遷移元画面は、画面番号０００３であり（ステップＳ９０２のＮＯ）、「戻る」キーの押下回数が規定値を超えたかどうかを確認する（ステップＳ９０３）。ここで、規定値は、例えば、３回とする。この場合、今回の「戻る」キー押下が４回目の場合、すなわち３回を超えた場合（ステップＳ９０３のＹＥＳ）、画面番号０００４のキーコード画面遷移テーブルを図７に示すように、遷移先画面番号を画面番号０００２に書き換え、さらに、図１０に示す画面番号０００３での「戻る」キーカウンタを０にする（ステップＳ９０４）。これにより、次回、画面番号０００４で、送信結果レポートの印刷終了後、画面は、画面番号０００２に遷移することになる（ステップＳ９０５）。
【００３５】
先に述べた、図１０は、画面番号毎戻るキーカウンタテーブル図である。図１０に示すように、画面番号毎に「戻る」キーのカウント回数が記録される。
【００３６】
「戻る」キーの押下回数が規定値を超えていない場合（ステップＳ９０３のＮＯ）、図１０に示す「戻る」キーカウンタを＋１にする（ステップＳ９０６）。
【００３７】
ここで、ステップＳ９０２での確認で、遷移元画面が、画面番号０００２の場合（ステップＳ９０２のＹＥＳ）、図６の画面番号０００４のキーコード画面遷移テーブルに示すように、遷移先場面は画面番号０００３のままであり、ステップＳ９０５において、画面番号０００３に遷移する。遷移元画面が、画面番号０００２になる場合とは、誤操作などによるものであり、通常はない。
【００３８】
次に、本発明の情報入力装置の第三実施形態の動作を説明する。図１１は、本発明の情報入力装置の第三実施形態の動作を示すフローチャートである。図１１において、画面が、図２で示した画面番号０００３に戻った状態からの画面遷移処理、および図６に示す画面番号０００４のキーコード画面遷移テーブルの書き換え処理を示す。すなわち、図２で示した、画面番号０００４の状態で、送信結果レポートの印刷終了後に、画面が画面番号０００３に戻っている状態をスタートとし例示して説明する。
【００３９】
本発明の情報入力装置の第一実施形態では、図２の画面番号０００４での送信結果レポート出力後、すなわち、印刷終了後に、画面番号０００３に遷移し、そこで「戻る」キーを押した場合に、画面番号０００４のキーコード画面遷移テーブルが、図７に示すように、画面番号０００２に遷移した。しかしながら、第三実施形態では、「戻る」キーを押した場合に、図６に示す画面番号０００４のキーコード画面遷移テーブル図を書き換えるかどうかをガイダンスする。このガイダンスに対しＹＥＳの場合、図６に示す画面番号０００４のキーコード画面遷移テーブルを、図７に示す画面番号０００４のキーコード画面遷移テーブルに書き換える。これにより、このガイダンスがＹＥＳの場合、次回、画面番号０００４で送信結果レポートの印刷終了後、画面は画面番号０００２に遷移することになる。
【００４０】
図１１を参照し、本発明の情報入力装置の第三実施形態の動作を詳細に説明する。まず、画面は、画面番号０００４において、送信結果レポートの印刷後、図６の初期設定に従い、画面番号０００３に戻っている。この状態で「戻る」キーを押すと（ステップＳ１１０１のＹＥＳ）、遷移元画面が画面番号０００２であるかどうかを確認する（ステップＳ１１０２）。この場合遷移元画面は、画面番号０００３であり（ステップＳ１１０２のＮＯ）、画面番号０００４のキーコード画面遷移テーブルを書き換えるかどうかをガイダンスする（ステップＳ１１０３）。書き換える場合、すなわち、「ＹＥＳ」キーが押下されると（ステップＳ１１０４のＹＥＳ）、画面番号０００４のキーコード画面遷移テーブルを図７に示すように、遷移先画面番号を画面番号０００２に書き換える（ステップＳ１１０５）。これにより、次回、画面番号０００４で、送信結果レポートの印刷終了後、画面は、画面番号０００２に遷移することになる（ステップＳ１１０６）。
【００４１】
ここで、ステップＳ１１０２での確認で、遷移元画面が、画面番号０００２の場合（ステップＳ１１０２のＹＥＳ）、図６の画面番号０００４のキーコード画面遷移テーブルに示すように、遷移先場面は画面番号０００３のままであり、ステップＳ１１０６において、画面番号０００３に遷移する。遷移元画面が、画面番号０００２になる場合とは、誤操作などによるものであり、通常はない。
【００４２】
以上、本発明の実施形態を詳細に説明したが、上述した実施形態は本発明の好適な実施の形態であり、これに限定されるものではなく、本発明の要旨を逸脱しない範囲内において種々変形実施が可能である。
【００４３】
【発明の効果】
以上、説明したように、一般に、ユーザがある機能を実行した後、戻った画面がユーザの期待に添わない場合に、「戻る」キーなどの否定的なキーを押下し、期待する画面にする。しかしながら、本発明の情報入力装置の第一実施形態によれば、実行した機能を学習し、次操作からは、もう１階層前の画面へ戻ることで、操作性を向上させることができる。
【００４４】
また、本発明の情報入力装置の第二実施形態によれば、「戻る」キーなどの否定的なキーを押下した否定操作の回数を学習し、否定操作回数が規定値を超えた場合にはもう１階層前の画面へ戻ることで、操作性を向上させることができる。
【００４５】
さらに、本発明の情報入力装置の第三実施形態によれば、「戻る」キーなどの否定的なキーを押下した時点で、「もう１階層前の画面へ戻る」旨をガイダンスし、その結果により、実行した機能を学習し、次操作からは、もう１階層前の画面へ戻ることで、操作性を向上させることができる。
【図面の簡単な説明】
【図１】本発明の情報入力装置の実施形態における画面のフローを示す表示図である。
【図２】図１に示す各画面に付与されている画面番号を示す画面番号付与図である。
【図３】画面に表示される各キーと各キーに付与されているキーコードを示すキーコード付与図である。
【図４】遷移元の画面を示す遷移元画面図である。
【図５】画面番号毎のキーコード画面遷移テーブルを示す画面番号毎画面遷移テーブル図である。
【図６】図２に示す画面番号０００４の初期設定でのキーコード画面遷移テーブル図である。
【図７】図２に示す画面番号０００４の書き換え後のキーコード画面遷移テーブル図である。
【図８】本発明の情報入力装置の第一実施形態の動作を示すフローチャートである。
【図９】本発明の情報入力装置の第二実施形態の動作を示すフローチャートである。
【図１０】本発明の情報入力装置の第二実施形態における画面番号毎戻るキーカウンタテーブル図である。
【図１１】本発明の情報入力装置の第三実施形態の動作を示すフローチャートである。
【図１】
2004318715.tif 000003
【図２】
2004318715.tif 000004
【図３】
2004318715.tif 000005
【図４】
2004318715.tif 000006
【図５】
2004318715.tif 000007
【図６】
2004318715.tif 000008
【図７】
2004318715.tif 000009
【図８】
2004318715.tif 000010
【図９】
2004318715.tif 000011
【図１０】
2004318715.tif 000012
【図１１】
2004318715.tif 000013